(57)【要約】【課題】従来、隣接パネルの連結を各種パネルの外面に露出・突出して取付けた連結金具で行っていたため、該連結金具が建築中及び建築後使用時に邪魔になり、体裁が悪く、また、露出しているため錆、腐蝕を生じ易く耐久性に欠ける課題があった。【解決手段】隣接パネル１ａ、１ｂの一方のパネル１ａに埋込ナット５を埋設すると共に他方のパネル１ｂにナットケース６とスリーブ８を埋設し、連結ボルト７とナット１２若しくは袋ナット１３を別設し、前記連結ボルト７の一方端ねじ７ａをパッキング材１４を貫通して埋込ナット５に螺合し、他方端ねじ７ｂをスリーブ８に挿通してナットケース６内に突出し、ナットケース６内で他方端ねじ１ｂにナット１２若しくは袋ナット１３を螺合緊締して、隣接パネル１ａ、１ｂをパッキング材１４を介し圧接衝合した状態で強固一体的に連結するように備えたプレハブ式建築物のパネル連結手段によって課題を解決した。【選択図】図２
2010196434.tif 000002
【特許請求の範囲】
【請求項１】
パネルを使用してプレハブ式建築物を建築するにつき、
隣接パネルの側辺を強固一体的に連結して、該プレハブ式建築物の壁、床、天井、屋根を構成するのに用いるパネル連結手段であり、
隣接パネルの一方のパネルの側辺部の肉厚部内に埋込ナットを埋設すると共に他方のパネルの側辺部の肉厚部内に、前面開口のカップの側面に連結ボルトの挿通孔をあけ開口部に蓋を着脱自在に取付けたナットケースを、前記挿通孔とパネル側辺間に連結ボルトを挿通するスリーブを介在し開口部をパネル内面に開口した状態で埋設して、前記埋込ナット、スリーブ、及びナットケースの挿通孔を同一軸線上に備え、
両端にねじを切った連結ボルトとナット若しくは袋ナットを別設し、
前記連結ボルトの一方端ねじを隣接パネル間に介在したパッキング材を貫通して前記埋込ナットに螺合すると共に、他方端ねじを前記スリーブに挿通し前記挿通孔からナットケース内に突出し、該ねじに別設のナット若しくは袋ナットを螺合緊締して、隣接パネルをパッキング材を介し圧接衝合した状態で強固一体的に連結するように備えたものである、
プレハブ式建築物のパネル連結手段。
【請求項２】
パネルはプレハブ式建築物の壁、床、天井、屋根を構成する壁パネル、床パネル、天井パネル、屋根パネルであって、長方形の側枠材の表裏両面に薄い鉄板を張設し、前記側枠材と表裏鉄板で囲った中空部内に硬質発泡ポリウレタンの充填材を充填硬化して設けたものであり、
隣接した前記パネルの一方のパネルの側辺部の肉厚部内に埋込ナットを埋設すると共に他方のパネルの側辺部の肉厚部内に、前面開口のカップの側面に連結ボルトの挿通孔をあけ開口部に蓋を着脱自在に取付けたナットケースを、前記挿通孔とパネル側辺間に連結ボルトを挿通するスリーブを介在し開口部をパネル内面に開口した状態で埋設して、前記埋込ナット、スリーブ、及びナットケースの挿通孔を同一軸線上に備え、
両端にねじを切った連結ボルトとナット若しくは袋ナットを別設し、
前記連結ボルトの一方端ねじを一方のパネルの側枠材及び隣接パネル間に介在するパッキング材を貫通して、前記埋込ナットに螺合し、他方端ねじを他方のパネルの前記スリーブに挿通し前記ナットケースの挿通孔からナットケース内に突出し、該ナットケース内で前記ねじに別設のナット若しくは袋ナットを螺合緊締したのち、該ナットケース内に合成樹脂の充填材を注入充填すると共に開口部に蓋をして、隣接パネルをパッキング材を介し圧接衝合した状態で強固一体的に連結するように備えたことを特徴とする、
請求項１記載のプレハブ式建築物のパネル連結手段。
【発明の詳細な説明】
【技術分野】
【０００１】
本発明は、プレハブ式建築物、例えば、プレハブ式の冷凍・冷蔵庫、冷凍・冷蔵倉庫、各種倉庫、クリーンルーム、オフィイス、住宅、作業場、その他の建築物を、主として長方形板状の壁パネル、床パネル、天井パネル、屋根パネル等の各種パネルを連結して建築するにつき、本発明パネル連結手段をもって隣接した各種パネルをパッキング材を介し圧接衝合した状態で強固一体的に連結するように備えたことを特徴とする、プレハブ式建築物のパネル連結手段に係るものである。
【背景技術】
【０００２】
従来、上記のような各種のプレハブ式建築物を各種パネルを連結して建築する場合、隣接した各種パネルの外面（庫内側若しくは庫外側）に露出して各種の連結金具を固着すると共に該金具をボルト・ナットその他の手段で連結してパネル相互を圧接衝合した状態で強固一体的に連結して行っていた。
【０００３】
然るところ、上記のように各種パネルの外面（庫内側若しくは庫外側）に備えた従来の連結手段は、パネルの外面に突出しているため建築中及び建築後使用時に邪魔になり、体裁が悪く、また、露出しているため錆、腐蝕を生じ易く耐久性に欠ける課題があった。
【先行技術文献】
【特許文献】
【０００４】
【特許文献１】特開２００８−２６１１０１号公報
【発明の概要】
【発明が解決しようとする課題】
【０００５】
本発明は、上記従来の各種パネルの外面（庫内側若しくは庫外側）に備えた従来の連結手段と異なり、連結手段を全てパネルの内部（肉厚部内）に内蔵して外部に露出しないように備えたことを特徴とするプレハブ式建築物のパネル連結手段を提供して、従来の課題を解決したものである。
【課題を解決するための手段】
【０００６】
本発明の請求項１に記載の発明は、
パネルを使用してプレハブ式建築物を建築するにつき、隣接パネルの側辺を強固一体的に連結して、該プレハブ式建築物の壁、床、天井、屋根を構成するのに用いるパネル連結手段であり、
【０００７】
隣接パネルの一方のパネルの側辺部の肉厚部内に埋込ナットを埋設すると共に他方のパネルの側辺部の肉厚部内に、前面開口のカップの側面に連結ボルトの挿通孔をあけ開口部に蓋を着脱自在に取付けたナットケースを、前記挿通孔とパネル側辺間に連結ボルトを挿通するスリーブを介在し開口部をパネル内面（庫内側）に開口した状態で埋設して、前記埋込ナット、スリーブ、及びナットケースの挿通孔を同一軸線上に備え、
【０００８】
また、両端にねじを切った連結ボルトとナット若しくは袋ナットを別設し、
【０００９】
前記連結ボルトの一方端ねじを隣接パネル間に介在したパッキング材を貫通して前記埋込ナットに螺合すると共に、他方端ねじを前記スリーブに挿通し前記挿通孔からナットケース内に突出し、該ねじに別設のナット若しくは袋ナットを螺合緊締して、隣接パネルをパッキング材を介し圧接衝合した状態で強固一体的に連結するように備えたものである、プレハブ式建築物のパネル連結手段によって課題を解決したものである。
【００１０】
請求項２に記載の発明は、
パネルはプレハブ式建築物の壁、床、天井、屋根を構成する壁パネル、床パネル、天井パネル、屋根パネルであって、長方形の側枠材の表裏両面に薄い鉄板を張設し、前記側枠材と表裏鉄板で囲った中空部内に硬質発泡ポリウレタンの充填材を充填硬化して設けたものであり、
【００１１】
隣接した前記パネルの一方のパネルの側辺部の肉厚部内に埋込ナットを埋設すると共に他方のパネルの側辺部の肉厚部内に、前面開口のカップの側面に連結ボルトの挿通孔をあけ開口部に蓋を着脱自在に取付けたナットケースを、前記挿通孔とパネル側辺間に連結ボルトを挿通するスリーブを介在し開口部をパネル内面に開口した状態で埋設して、前記埋込ナット、スリーブ、及びナットケースの挿通孔を同一軸線上に備え、
【００１２】
また、両端にねじを切った連結ボルトとナット若しくは袋ナットを別設し、
【００１３】
前記連結ボルトの一方端ねじを一方のパネルの側枠材及び隣接パネル間に介在するパッキング材を貫通して、前記埋込ナットに螺合し、他方端ねじを他方のパネルの前記スリーブに挿通し前記ナットケースの挿通孔からナットケース内に突出し、該ナットケース内で前記ねじに別設のナット若しくは袋ナットを螺合緊締したのち、該ナットケース内に合成樹脂の充填材を注入充填すると共に開口部に蓋をして、隣接パネルをパッキング材を介し圧接衝合した状態で強固一体的に連結するように備えたことを特徴とする、請求項１記載のプレハブ式建築物のパネル連結手段によって課題を解決したものである。
【発明の効果】
【００１４】
隣接パネルの一方のパネルの側辺部の肉厚部内に埋込ナットを埋設すると共に他方のパネルの側辺部の肉厚部内にナットケースとスリーブを埋設し、
連結ボルトの一方端ねじを一方のパネルの埋込ナットに螺合すると共に他方端ねじをスリーブに挿通してナットケース内に突出し、ナットケース内でナット若しくは袋ナットを螺合緊締して、隣接パネルを圧接衝合した状態で強固一体的に連結するように備えたので、
連結手段が全てパネルの肉厚部内に内装された状態となって、全くパネルの外面に露出、突出せず、よって、従来と異なり、建築中（パネル連結等）及び建築後使用時に作業等の邪魔になることが無く、外観、体裁が良く、また、露出している部分が無く、密封された状態であるため錆、腐蝕を生じ難く耐久性に優れる等の効果がある。
【００１５】
連結後、ナットケース内に断熱性等の合成樹脂充填材を注入充填すると共に開口部に蓋をすることによって、ナットケース内空間がパネルの断熱性を損なう恐れがなく、体裁が良い特徴があり、また、充填材がナット若しくは袋ナットの緩み止めになる利点がある。
なお、前記充填材は必要に応じて、容易に外部に掻き出すことができる。
【００１６】
両端にねじを切った連結ボルトとナット若しくは袋ナットを別設するようにしたので、隣接パネルの連結作業時に、その作業手順に対応して、例えば、
１．予め、連結ボルトの一方端ねじを一方のパネルの埋込ナットに螺合してから、他方端ねじをスリーブに挿通してナットケース内に突出し、ナットケース内でナットを螺合緊締して、隣接パネルを連結する、
２．予め、他方端ねじをスリーブに挿通してナットケース内に突出し、ナットケース内で袋ナットを螺合しておき、ついで、一方端ねじの先端を一方のパネルの埋込ナットのねじ孔につき合わせ、ついで、袋ナットを回転し連結ボルトを回転して埋込ナットに螺合緊締して、隣接パネルを連結する、
等の作業手段を選択的に行なうことが可能であるため、隣接パネルの連結を効率的に行い得る優れた特徴がある。
【図面の簡単な説明】
【００１７】
【図１】図１は、隣接パネル（庫内側の一部を表示）に実施した状態を示す説明正面図である。
【図２】図２は、図１のＡ-Ａ線断面矢視図である。
【図３】図３は、埋込ナットの一部切断正面図、平面図、及び左側面図である。
【図４】図４は、ナットケースの正面図である。
【図５】図５は、図４のＢ-Ｂ線断面矢視図である。
【図６】図６の、（イ）は連結ボルトの正面図、（ロ）はナット及びワッシャーの正面図、（ハ）は袋ナット及びワッシャーの正面図である。
【図７】図７は、蓋の正面図である。
【図８】図８は、蓋のＣ-Ｃ線断面矢視図である。
【図９】図９は、予め連結ボルトの一方端ねじを埋込ナットに螺合してから隣接パネルを連結する場合の、連結前の説明図である。
【図１０】図１０は、図９の連結後の説明図である。
【図１１】図１１は、予め他方端ねじをスリーブに挿通してナットケース内に突出し、ナットケース内で袋ナットを螺合してから隣接パネルを連結する場合の、連結前の説明図である。
【図１２】図１２は、図１１の連結後の説明図である。
【図１３】図１３は、角部の隣接パネルを連結した場合の説明図である。
【発明を実施するための形態】
【００１８】
隣接した前記パネルの一方のパネルの側辺部の肉厚部内に埋込ナットを埋設すると共に他方のパネルの側辺部の肉厚部内に、前面開口のカップの側面に連結ボルトの挿通孔をあけ開口部に蓋を着脱自在に取付けたナットケースを、前記挿通孔とパネル側辺間に連結ボルトを挿通するスリーブを介在し開口部をパネル内面に開口した状態で埋設して、前記埋込ナット、スリーブ、及びナットケースの挿通孔を同一軸線上に備え、また、両端にねじを切った連結ボルトとナット若しくは袋ナットを別設して備えた、プレハブ式建築物のパネル連結手段。
【実施例１】
【００１９】
パネル１はプレハブ式建築物の壁、床、天井、屋根を構成する壁パネル、床パネル、天井パネル、屋根パネル等であって、長方形の側枠材２の表裏両面に薄い鉄板３を張設し、前記側枠材２と表裏鉄板３、３で囲った中空部内に硬質発泡ポリウレタンの充填材４を充填硬化して設けたものであり、
【００２０】
隣接した前記パネル１ａ、１ｂの一方のパネル１ａの側辺部の肉厚部内に埋込ナット５を埋設すると共に他方のパネル１ｂの側辺部の肉厚部内に、前面開口のカップの側面に連結ボルト７の挿通孔９をあけ開口部１０に蓋１１を着脱自在に取付けたナットケース６を、前記挿通孔９とパネル側辺間に連結ボルト７を挿通するスリーブ８を介在し開口部１０をパネル１ｂ内面（庫内側）に開口した状態で埋設して、前記埋込ナット５、スリーブ８、及びナットケース６の挿通孔９を同一軸線上に備え、
【００２１】
また、両端にねじを切った連結ボルト７とナット１２若しくは袋ナット１３を別設し、
【００２２】
前記連結ボルト７の一方端ねじ７ａを一方のパネル１ａの側枠材２及び隣接パネル１ａ、１ｂ間に介在するパッキング材１４を貫通して、前記埋込ナット５に螺合し、他方端ねじ７ｂを他方のパネル１ｂの前記スリーブ８に挿通し前記ナットケース６の挿通孔９からナットケース６内に突出し、該ナットケース６内で前記ねじ１ｂに別設のナット１２若しくは袋ナット１３を螺合緊締したのち、該ナットケース６内に断熱性合成樹脂等の充填材１５を注入充填すると共に開口部１０に蓋１１をして、隣接パネル１ａ、１ｂをパッキング材１４を介し圧接衝合した状態で強固一体的に連結するように備えたプレハブ式建築物のパネル連結手段である。
【００２３】
例えば、連結した隣接パネル１ａ、１ｂを分離する場合は、該ナットケース６内に充填した断熱性合成樹脂等の充填材１５を外部に掻き出し、ナット１２若しくは袋ナット１３を取外して行うものである。
【００２４】
隣接パネル１ａ、１ｂの連結作業は、例えば、
（１）．予め、連結ボルト７の一方端ねじ７ａを一方のパネル１ａの埋込ナット５に螺合してから、他方端ねじ７ｂをスリーブ８に挿通してナットケース６内に突出し、ナットケース６内でナット１２を螺合緊締して連結する、
（２）．予め、他方端ねじ７ｂをスリーブ８に挿通してナットケース６内に突出し、ナットケース６内で袋ナット１３を螺合しておき、ついで、一方端ねじ７ａの先端を一方のパネル１ａの埋込ナット５のねじ孔につき合わせ、ついで、袋ナット１３を回転し連結ボルト７を回転して埋込ナット５に螺合緊締して連結する、等そのときどきに適した作業手順で行なうようにしたものである。
【産業上の利用可能性】
【００２５】
本発明は、予め、パネルに埋込ナット、スリーブ、ナットケースを埋設して備えると共に連結ボルト、ナット、袋ナットを用意するだけで、各種プレハブ式建築物の各種パネルの連結手段として汎用することができる。
【符号の説明】
【００２６】
１    パネル
１ａ  一方パネル
１ｂ  他方パネル
２    側枠材
３    鉄板
４    充填材（パネル用）
５    埋込ナット
６    ナットケース
７    連結ボルト
７ａ  一方端ねじ
７ｂ  他方端ねじ
８    スリーブ
９    挿通孔
１０  開口部
１１  蓋
１２  ナット
１３  袋ナット
１４  パッキング材
１５  充填材（ナットケース用）
【図１】
2010196434.tif 000003
【図２】
2010196434.tif 000004
【図３】
2010196434.tif 000005
【図４】
2010196434.tif 000006
【図５】
2010196434.tif 000007
【図６】
2010196434.tif 000008
【図７】
2010196434.tif 000009
【図８】
2010196434.tif 000010
【図９】
2010196434.tif 000011
【図１０】
2010196434.tif 000012
【図１１】
2010196434.tif 000013
【図１２】
2010196434.tif 000014
【図１３】
2010196434.tif 000015